(57)【要約】【課題】カード式鍵を構造に関して最適化する【解決手段】本発明は、鍵ケースに配置される滑動体（１０）を備えたカード式鍵に関するもので、滑動体には１つ以上のタンブラが滑動体の移動を阻止するように保持されており、正しいカード（５）が挿入された場合にタンブラは開放位置に移動するので、カード（５）が挿入されるとカードの駆動区間（３２）が滑動体（１０）の駆動肩部（３４）と共同作用して滑動体（１０）を変位位置に移動させる。カード式鍵の機能を最適化するため、本発明は駆動結合を過大な荷重が加えられた場合に解消させることを提案している。【選択図】図６
2005503505.tif 000002
【特許請求の範囲】
【請求項１】
鍵ケース（６）に配置される滑動体（１０）を備え、滑動体には１つ以上のタンブラ（１４）が滑動体の移動を阻止するように保持されており、正しいカード（５）が挿入された場合にタンブラ（１４）は開放位置に移動するので、カード（５）が挿入されると、カードの駆動区間（３２）が滑動体（１０）の駆動肩部（３４）と共同作用して滑動体を変位位置に移動させるカード式鍵において、
駆動結合は過大な荷重が加えられた場合に解消されることを特徴とするカード式鍵。
【請求項２】
特に、カード側の駆動区間（３２、３６）が、破断線（３３）を介してカード（５）に結合されていることを特徴とする請求項１に記載するカード式鍵。
【請求項３】
特に、カード側の駆動区間（３２、３６）が、幅の広い側または幅の狭い長手側（５’、５”）に配置された突起で構成され、滑動体（１０）の駆動肩部（３４）で支えられることを特徴とする請求項１または２の何れかに記載するカード式鍵。
【請求項４】
特に、カード側の駆動区間（３６）が磁石であり、特にタンブラ（３７）として構成された滑動体（１０）の磁石と共同作用することを特徴とする請求項１ないし３の何れかに記載するカード式鍵。
【請求項５】
特に、滑動体（１０）の幅の広い側に配置された磁石タンブラが、カード（５）の幅の広い側の磁化部（１７）によって変位することができ、少なくとも１つの滑動体（１０）の幅の狭い側に配置された補足タンブラ（３７）がカード（５）の幅の狭い側の磁化部によって変位することができることを特徴とする請求項１ないし４の何れかに記載するカード式鍵。
【請求項６】
特に、滑動体側の駆動区間がばね要素であり、カード（５）の切欠（４６）と共同作用することを特徴とする請求項１ないし５の何れかに記載するカード式鍵。
【請求項７】
特に、カード（５）の肩部（３２）に係合するばね要素（４２）が鍵のケーシング（６）に配置されており、滑動体（１０）がカードによって変位した位置に保持されることを特徴とする請求項１ないし６の何れかに記載するカード式鍵。
【請求項８】
鍵ケース（６）に配置される滑動体（１０）を備え、滑動体には１つ以上のタンブラ（１４）が滑動体の移動を阻止するように保持されており、正しいカード（５）が挿入された場合にタンブラは開放位置に移動するので、カード（５）が挿入されると、カードの駆動区間が滑動体（１０）の駆動肩部（５１）と共同作用して滑動体を変位位置に移動させ、その位置でカード（５）と共同作用する固定要素（４２、５２、６１、６６、７２）によって保持されるカード式鍵において、
固定要素（４２、５２、６１、６６、７２）がカード（５）と固定結合し、過大な力が加えられた場合はこの結合が解除されることを特徴とするカード式鍵。
【請求項９】
特に、固定要素（４２）が駆動区間（３２）と共同作用することを特徴とする請求項８に記載するカード式鍵。
【請求項１０】
特に、固定要素が鍵のケーシング（６）に結合されたばね要素（４２）であることを特徴とする請求項１ないし８の何れかに記載するカード式鍵。
【請求項１１】
特に、ばね要素（４２）がカード（５）の切欠（４６）と共同作用することを特徴とする請求項１ないし１０の何れかに記載するカード式鍵。
【請求項１２】
特に、ばね要素（５２）がカード（５）、特にカードの縁を掴むクリップであることを特徴とする請求項１ないし１１の何れかに記載するカード式鍵。
【請求項１３】
特に、クリップ（５２）がカード（５）の幅方向の特殊形状、特に窪みと共同作用することを特徴とする請求項１ないし１２の何れかに記載するカード式鍵。
【請求項１４】
特に、幅方向の特殊形状が窪み（５８）、折り返しの段（４８）または穴（６０）であることを特徴とする請求項１ないし１３の何れかに記載するカード式鍵。
【請求項１５】
特に、固定要素（６１）が係合舌状体（６２）と共同作用する係合部を構成すことを特徴とする請求項１ないし１４の何れかに記載するカード式鍵。
【請求項１６】
特に、係合舌状体（６２）がカード（５）の挿入側の正面の縁に配置されることを特徴とする請求項１ないし１５の何れかに記載するカード式鍵。
【請求項１７】
特に、係合舌状体（６２）また係合部の位置に対し追加の係合組合せを特徴とする請求項１ないし１６の何れかに記載するカード式鍵。
【請求項１８】
特に、窪みまたは穴（６７）が、これらに対応する打ち出し形状の固定要素（６６）、特に挿入口（４）の壁の穴または窪み（６６）に、ばね力によってカードの幅の広い側に押し付けられて共同作用することを特徴とする請求項１ないし１７の何れかに記載するカード式鍵。
【請求項１９】
特に、窪み（６６）が打ち出し形状であることを特徴とする請求項１ないし１８の何れかに記載するカード式鍵。
【請求項２０】
特に、固定要素（７２）がケーシングに固定された案内板（１５）から構成されるばね舌状体で、カード（５）の背面の段（８０）と係合することを特徴とする請求項１ないし１９の何れかに記載するカード式鍵。
【請求項２１】
特に、ばね舌状体（７２）が案内板（１５）と一体の延長部であることを特徴とする請求項１ないし２０の何れかに記載するカード式鍵。
【請求項２２】
特に、カード（５）に鍵の幅の広い側に特殊形状（４８、５８、６０）が形成され、カード式鍵（１）の固定要素（５２）共同作用することを特徴とする請求項１ないし２１の何れかに記載するカード式鍵。
【請求項２３】
特に、特殊形状が挿入側の正面縁に配置された係合舌状体（６２）であることを特徴とする請求項２２に記載するカード式鍵。
【請求項２４】
特に、カード（５）が３層から構成され、中央の磁化部を有する層（７６）がそれぞれ金属の層（７７、７８）によって包まれ、一層の金属層が打ち出し部（７９）を形成することを特徴とする請求項２２に記載するカード式鍵。
【発明の詳細な説明】
【技術分野】
【０００１】
本発明は、鍵ケースに配置される滑動体を備えたカード式鍵に関するもので、滑動体には１つ以上のタンブラが滑動体の移動を阻止するように保持されており、正しいカードが挿入された場合にタンブラは開放位置に移動するので、カードが挿入されるとカードの駆動区間が滑動体の駆動肩部と共同作用して滑動体を変位位置に移動させる。
【背景技術】
【０００２】
このような市場で既知のカード式鍵は、カード式鍵にカードを挿入するとタンブラが変位し、滑動体がカード駆動区間によって変位できるようにカードがコード化されている。カードによって前方に変位した滑動体の位置は、ばね力に抗してカードによってその位置に保持される。
【発明の開示】
【発明が解決しようとする課題】
【０００３】
本発明の対象は、話題とするカード式鍵を構造に関して最適化するという課題に基づいている。
【課題を解決するための手段】
【０００４】
この課題は先ず本質的に請求項１の特徴を有するカード式鍵によって解決され、駆動結合は過大な力が加えられた場合に解除されることに主眼が置かれる。
【０００５】
それ以外の請求項の対象は、請求項１の対象に関連して説明されるが、それと無関係な表現も重要である。
【０００６】
話題とするカード式鍵をこのように構成することにより、正しくないカードを使用した場合でもその機能は保持される。詳しく言えば正しくないカードをカード式鍵に挿入し、続いて滑動体をカードで変位させようとすると、カードと滑動体の駆動結合は一定の力を超えた場合に解除される。例えば形状による鍵または力による鍵の場合もこれは達成される。しかしカード式鍵自体は機能が変化する危険がないことが保証される。本発明の考えを実現する１つの方法は、カード側の駆動区間を、破断線を介してカードと接続することである。カードがカード式鍵に適合しないにも関らず、カードを挿入し無理と知りながら挿入力を与えると、カード側の駆動区間が破断線から破断される。したがってカードは挿入力を滑動体に加えることができないので、カード式鍵の内部構造は損傷しないで残る。１つの有利な展開として、本発明によりカード側の駆動区間を、幅の広い側または狭い側の長手方向に配置した滑動体の肩に当たる突起として形成する。突起をカードと一体として配置するか、または後で取り付ける方法がある。カード側の駆動区間に別の機能を追加できるようにするため、カード側の駆動区間を磁石とし、特にタンブラとして形成される滑動体の磁石と共同作用させる。
【０００７】
カード式鍵自体は、滑動体の幅の広い側に磁石タンブラを配置するように構成することができる。これらのタンブラは、滑動体をカードで駆動できるようにするため、幅の広い側を磁化したカードによって開放位置に変位される。さらに少なくとも１つの滑動体の幅の狭い側に配置した補足タンブラを設け、狭い側を磁化したカードによって変位できるようにする。カードの狭い側を磁化することはさらに、カードの駆動区間を形成することに役立つ。さらに別の滑動体側に駆動区間を構成する可能性は、カードの切欠と共同作用するばね要素として形成することである。カードに加えられる力が規定値を超えた場合は、ばね要素はカードの切欠から外れて回避する。本発明による１つのバージョンでは、ケーシングに配置されたばね要素がカードの肩に係合し、滑動体はカードによって変位された位置を保持している。ばね要素は既知の方法のように滑動体に係合するのではなくカード自体に係合する。
【０００８】
上述の本発明の考え方は、固定要素がカードと保持結合される状態となり、過大な力が加えられた場合この結合が解消することによって最適化される。過大な力の解消はカードの挿入時だけでなく、カードの引き抜き時にも効果を発揮する。カードの挿入が行なわれ滑動体が前方に変位すると、固定要素はカードと操作結合または保持結合する。滑動体に作用する復帰力はこれによって効果がなくなる。過大な力が加えられた場合カードを引き抜くと保持結合は解消され、滑動体はばねの力によって戻り変位する。すなわち保持結合の力は滑動体に作用するばねの荷重より大きい。本発明による１つのバージョンにおいて、固定要素が駆動区間と共同作用するようにする。これにより二重の機能が満足される。一方ではカードの挿入時に滑動体を押し、他方では変位位置において固定要素との保持結合を実現する。後者の場合には、固定要素は鍵のケーシングに強固に固定されたばね要素であることが望ましい。ばね要素がカードの切欠と共同作用することができると最適である。さらにばね要素をカード特にカードの縁を掴むクリップとすることができる。クリップによるカードの掴みは、カードによる滑動体の前方変位位置で行なわれる。クリップ力はカードによる保持結合力を決定する。カードは幅の広い側の特殊な形状、特に窪みを備え変位位置でクリップと共同作用することが望ましい。例えば幅の広い側の特殊な形状は、窪み、折り曲げ縁または穴で構成されていてもよい。カードが多層構造の場合は、１つの層を向かい合う層に折り曲げて囲んだ折り曲げ縁とすることを推奨する。これによってクランプと共同作業する縁が形成される。さらに固定要素が、カードの係合舌状体と共同作用する係合部を構成することもできる。カードを挿入し滑動体を変位位置に移動させると、最初に係合舌状体が回避し、変位位置において固定要素と係合を形成する。この係合力は、保持結合の力を超過した場合に、それに応じてカードを引き抜くことによって解消される。詳しく言えば、カードの挿入側の正面の縁に係合舌状体を配置する。係合舌状体はカードと一体に形成される。これはカードが樹脂によって製作される場合に適用される。さらにマスク部品を、係合舌状体または係合部の噛み合い位置の組合せを追加することによって設けることができる。係合舌状体が所定の位置にある場合だけ、鍵掛け操作が行なわれる。上記のカード式鍵のカードは、特に鍵の幅広い側に特殊形状が形成され、カード式鍵の固定要素と共同作用することに特徴がある。カードは滑動体の向こう側の変位位置に固定されているので、固定要素によってカードおよび滑動体が保持される。しかし特殊形状の形成は特に係合舌状体が配置される挿入側正面の縁であってもよい。
【０００９】
存在する部品を滑動体の変位位置に固定に利用するため、本片発明は窪みまたは穴を、これに対応する固定要素が形成される挿入口の壁に打ち出した形状、特に穴または窪みに、カードの幅の広い側を押し付けるばね力によって共同作用させることを提案する。挿入口の壁は例えば固定板であってもよい。その内側に向いた端部に、例えば球状体に突き出した窪みを打ち出して形成する。カードはそれに対応する位置に穴を設ける。滑動体がカードの力で前方に変位した位置で穴と打ち出した突起は噛み合い、これによって係合結合が行なわれる。壁または固定板に方向のばね力は、滑動体に加わる復元力よりも係合結合の方が強いように定める。挿入口の壁に作用するばね力は板ばねで形成することが好ましい。この内側の端部に対応した打ち出しによる突起または穴を形成しカードと係合結合を生じさせる。ここでも係合力が滑動体に加わる復元力より大きくなるようにする。カード、挿入口の壁または板ばねの窪みは、この場合打ち出した突起として形成する。特に有利なカード式鍵の構成は、固定要素をケーシングに固定された案内板から構成されるばね舌状体とし、カードの段に裏側から噛み合わせることにより得られる。ここでもすでに存在する部品を利用し、滑動体を前方に移動させるカードが変位した位置に固定させる。ばね舌状体は案内板と延長した同一材料でよい。この延長部は、例えば案内板の打ち抜きにおいて配慮することができ、その後必要な調節を行なう。詳しく言えばカードを３層に形成し、中央の磁性を示す層を金属の層によって包み、１つの金属相に打ち出し突起を形成させる。ここでもカードによって前方に変位した滑動体の位置で、ばね舌状体による裏側からの噛み合いのための段が形成される。
【００１０】
以下本発明の多くの実施例を図によって説明する。
【発明の効果】
【００１１】
カード式鍵の構造が最適化される。
【発明を実施するための最良の形態】
【００１２】
例として、図示されていないホテル室のドアに取り付けることのできるカード式鍵１は、ドアの外側に固定することができる外形が矩形の鍵ケース２を備え、その一端に外側から回転できるノブ３が取り付けられる。図示されていない掛け金は、ドアに組み込まれた差し込み式の鍵によってノブを使用してドアを開けることができる。これに対しドアの内部からは図示されていない内部のノブによって何時でも掛け金を開けることができる。
【００１３】
外側のノブ３と反対側の鍵ケース２の端部には、鍵カード５用の挿入口４が延びている。鍵カードはほぼ矩形で部分的に磁化されたカードである。
【００１４】
カード５の幅方向の磁化部分を記号１７で示す。
【００１５】
鍵ケース２の内部には鍵ハウジング６が収納され、床部分７、中間部８およびカバー部分９から構成される。中間部８にはアルミニウムが使用され、一方床部分７およびカバー部分９は樹脂から構成される。カバー部分９および中間部部分８の間に、同様に樹脂から製作された平板状に構成された滑動体１０が案内され、幅の広い面で中間部部分８に密着している。滑動体１０の反対側の案内面は真鍮から製作される係合板１１で形成される。これは移動できないようにカバー部品９に固定される。係合板１１に設けられる穴１２はカード５が差し込まれていない場合には、滑動体１０の穴１３と整列されている。この穴１３には磁気的なタンブラピン１４が挿入されている。タンブラピン１４の数量、位置および極性はカード式鍵１の開放コードの組合せに合わせてあるので、すべての穴にタンブラピン１４を設ける必要はない。
【００１６】
係合板１１の反対側には、同様に真鍮から構成される案内板１５があり、その向こう側には固定板１６が設けられる。固定板はカバー部品９に支えられ、図示されていない圧縮ばねによってその位置に保持される。固定板１６は他の部品と異なり鉄磁性体である。したがって、固定板１６は磁性体のタンブラピン１４を引き寄せ、係合板１１の穴１２に係合させる。磁性のタンブラピン１４が係合した位置で、滑動体１０はその基本的位置から移動することができない。
【００１７】
固定板１６および案内板１５の間に挿入口４が形成される。案内板１５および固定板１６の前方にある横方向の縁は、反対方向に曲げられ、挿入されるカード５の入り口を形成する。
【００１８】
復帰ばねの役目をする引張りばね１８は、その一端が中間部分８の横の短軸１９に固定される。引っ張りばね１８の反対側の端部は中間部分８のスリットを貫通する滑動体１０の突起２０に固定され、それによって基本位置で荷重が加えられている。突起２０には滑動体１０の２つの斜めの鼻状突起２１、２２が配置され、突起２０と同様に中間部８を貫通している。鼻状突起２１、２２の傾斜２１’２２’はほぼ同じ形状に形成される。これらは滑動体の移動に対して横方向に変位することができ、カードの挿入側端に弾性領域２５’を有する強固なアーム２５の斜めに曲げた板に係合する。
【００１９】
この弾性領域は鍵ケーシング６の対応する部分に固定される。アーム２５の固定端と反対側の端部は、屈曲部２６に続きフォーク状に構成された端部２７で終わる。フォーク部は内部に歯形を設けたカップリング筒２９のリング状の溝２８と噛み合う。カード式鍵１の施錠位置ではカップリング筒２９およびそれと同心に配置されたピニオン３０の間には回転に対する結合がない。このピニオンは外部回転ノブ３を支えているので、カップリング筒２９に駆動作用を与えないで外部回転ノブだけを回すことができる。したがってカップリング筒２９と結合されている心棒３１は駆動されない。
【００２０】
図２および３に示すように、カード５は狭い方の側面５’に駆動区間３２を備えている。これは破断線３３を介してカード５に結合されている。駆動区間３２は滑動体１０の肩部３４と共同作用をする。肩部は滑動体１０の移動方向の横方向に延びている。
【００２１】
図２に点線で示すように、駆動区間３５をカードの幅の広い面から突き出すこともできる。その場合は滑動体１０の対応する場所に駆動肩部を設ける。
【００２２】
この作動方式は以下のとおりである：
ドアの外側のカード式鍵１を外側ノブで操作できるようにするため、対応してコード化されたカード５をカード挿入口４に挿入することが必要である。このとき圧力ばねで押されている固定板１６は横方向に変位する。完全に挿入された位置において、駆動区間３２を有するカードは滑動体の駆動肩部３４の前に達する。この位置で、磁気タンブラピン１４は係合板１１の穴１２から離れて変位する。ここでカード５を前方に進ませることができるようになり、滑動体１０は引張ばね１８の力に抗して共に移動する。滑動体１０の前進に伴なってその鼻状突起２１はアーム２５を押し、アームをその弾性領域２５’の回りに回転させる。（図１参照）。カップリング筒２９に噛み合っているアーム２５のフォーク状の自由端２７は、カップリング筒がピニオンと噛み合うよう移動させる。
【００２３】
このようにして心棒３１との回転結合が行なわれ、外部ノブ３の操作によって心棒３１に組み合わされている掛け金を案内する。
【００２４】
カード形鍵に適合しないカード５が挿入された場合は、タンブラピン１４は開放位置に変位しない。それにもかかわらず滑動体１０をカード５によって変位させようとすると、駆動区間の結合部に過大な力が加わる。このためカード側面の駆動区間３２は破断線３３で破断する。カード５をさらに押し込むことができても、鍵内部を破損するような機能は生じない。カード式鍵１の機能はそのまま維持される。
【００２５】
図４および５による第２の実施態様は、第１の実施態様に対し２つの駆動区間３２および３６が設けられている点が異なる。駆動区間３２は図２および３に示したものと対応する。これは対応する滑動体１０の駆動肩部３４と共同作用する。それと別のカード面の駆動区間３６はカード５の幅の狭い側面の別の側面５”に設けられる。この駆動区間３６は磁石であり、滑動体１０のタンブラ３７として形成された磁石と共同作用する。このため滑動体１０には駆動肩部３４の反対側の縁３８に穴３９が設けられる。この部分には鉄磁性材料の板４０が配置される。穴３９は鍵ケーシング６の開口部４１と整列されている。カード５が挿入されていない場合、板４０は磁石３７または補足タンブラに引っ張られているので、補足タンブラは穴３９および開口部４１の部分的な長さを持っている。
【００２６】
正しいカード５が挿入されると、幅の広い側の磁化部１７に配置されたタンブラピン１４および補足タンブラ３７は完全に穴３９から離れる。滑動体１０は拘束が解かれ、カード５の前進変位によって滑動体１０が駆動される。またこのバージョンでは規定の力を超過した場合、関連する駆動区間３２およびカード５の間の破断線が効果を発揮する。
【００２７】
駆動区間３２が形成されているが磁化された駆動区間３６を備えていないカード５は、磁化された補足タンブラ３７が効果的に動作を阻止するので、カード式鍵を開ける能力を持っていない。
【００２８】
図６に示す第３の実施態様のカード５は図４および５に示したカードに対応する。差異は鍵のケーシング６が、先端にカード５の通路に突き出した曲り部を有するばね要素４２を備えていることである。これは２つの曲げ区間４３、４４から構成される。ばね素子４２のばねの変位を許容するため、鍵ケーシング６に回避空間４５が設けられる。タンブラの配置に適合する正しいカード５が挿入されると、滑動体１０は駆動区間３２、３６によって前方に変位することができる。前方に変位した位置で駆動区間３２は、ばね要素４２の角形に並ぶ区間４３、４４を通り越し、その後区間４３は駆動間３２と共同作用して滑動体１０の戻り変位を防止する。滑動体はその位置に残る。これはばね要素４２が与える荷重が、引張ばね１８の復元力より大きいことを示している。カードを引き抜くと、駆動区間３２によってばね要素４２は回避場所に変位し、引張ばね１８が滑動体１０を元の位置に移動させる。
【００２９】
図７には幅の狭い長手側面５’に三角形の切欠４６を設けたカードを示す。これは滑動体側面のばね要素である駆動肩部と共同作業することができる。このバージョンにおいては規定の力を超過した場合に、カード５および滑動体１０の駆動結合が消滅する。
【００３０】
該当するばね要素４２を鍵のケーシングに設け、前方に変位した滑動体位置で切欠４６に噛み合うという変化させた形状も考えられる。この場合滑動体は前進した位置で保持される。しかし追加して、駆動区間が滑動体の対応する駆動肩部と共同作用する、別の駆動区間をカードに設けなければならない。そうすることによってばね要素はカードを保持し、カードの駆動区間が駆動結合によって滑動体を保持する。カードをカード式鍵の挿入口４から引き抜くと、ばね要素および切欠４６の操作結合が解消されるので、滑動体は引張ばね１８によって最初の位置に戻される。
【００３１】
図８ないし１０はカード式鍵の第４の実施態様を示すものである。カード５は多層の構成である。外側の層４７は層４７と並行に配置される別の層４９を囲んで折り曲げた縁４８を形成する。折り曲げた縁４８により幅の広い側面形状、すなわち段部５０が形成される。
【００３２】
鍵のケーシング６によって案内される滑動体１０は、挿入側と反対の端部にカード５の挿入路に突き出す駆動肩部５１を備えている。鍵の長手中心軸に配置された駆動肩部５１の両側に、鍵のケーシング側の固定要素５２が設けられ、カード５との保持結合を形成している。固定要素５２は鍵のケーシング６に強固に結合されたばね要素である。図９および１０によれば鍵のケーシングと一体である。該当するばね要素または固定要素５２は、カード特にカードの縁を掴む形状のクリップとして構成される。隣り合う滑動体１０の幅広い面に向いたクリップ区間５３は、カード５の挿入端位置で層４７に面しているのに対し、その反対側のクリップ区間５４は突起５５によって折り曲げ縁４８と噛み合う。突起５５は調整斜面５６が形成され、カードを引き抜く場合に効果を発揮する。カード５を挿入する場合は突起５５の乗り上げ傾斜が効果を発揮する。
【００３３】
カード挿入位置および滑動体１０の変位位置において、折り曲げ縁４８を有する保持要素５２は、滑動体１０に作用する引張ばね１８の復元力より大きい保持結合を持っている。すなわち、カード５が挿入されるとカードは滑動体１０とともに定められた変位位置に留まっている。カード式鍵の施錠過程が行われ続いてカード５が引き抜かれると、復元力を超過する保持結合力は解消され、引張ばね１８は滑動体１０を最初の位置に戻す。
【００３４】
図１１によれば、第５の実施態様によるカード式鍵が、同じ部品に同じ参照記号を付して示される。差異は樹脂材料から製作されたカード５が、幅の広い側に互いに対向する内側方向を向いた凹み５８を備えていることである。これはクリップ形の保持要素５２と共同作用する幅の広い側の特殊形状を形成している。この構成においてクリップ区間５３、５４は互いに調整され、相対する球状の突起５９が、滑動体１０変位位置と同じカード５の変位位置で凹み５８に噛み合い、カードとの保持結合が生成される。この保持結合は第４の実施態様のように、結合力を超える力を加えてカード５を引き抜いた場合に解消する。
【００３５】
図１２による第６の実施態様において、同じ構造部品には前述の２つの実施態様と同じ参照記号を付けてある。差異はカード５の幅広い側の特殊形状として穴６０を形成したことである。クリップ形の保持要素５２は図１１のものとほとんど同じである。球状の突起５９は、カード５によって滑動体１０が変位した位置で互いに接触するように構成される。
【００３６】
図１３および１４による第７の実施態様は、固定要素６１がカード５の係合舌状体６２と共同作用する係合を形成する。係合舌状体６２は樹脂材料で製作されるカード５の挿入側正面に設けられる。係合舌状体６２はカード５の正面縁から突き出している。この部分で係合舌状体６２に操縦用傾斜部６３が形成される。鉤形に形成された係合舌状体６２はカード５の正面側の切欠６４に一部突き出している。切欠６４は固定要素６１の外形より大きいので、図１４の前方に変位した滑動体位置で、保持要素６１は係合舌状体６２が回避した後で切欠６４に噛み合うことができる。操縦用傾斜部６３と鋭角につながる固定傾斜部６５はカードの挿入方向に対して傾いているので、変位位置で係合舌状体６２と固定要素６１の間で生ずる固定結合は、保持力を超える力が加えられた場合には先ず係合舌状体６２がばね状に回避し、カード５の引き抜きおよびそれによる滑動体の戻り変位が可能となる。
【００３７】
図１３および１４に示すように、固定要素６１は鍵のケーシングの点線で示す位置を占めることもできる。選定した位置により係合舌状体６２が正面縁に配置される。１つ以上の係合舌状体およびそれに対応する固定要素を設けることもできる。
【００３８】
図１５および１６に示す第８の実施態様は、前に示したものと異なる構成である。係合舌状体６２とともにカード５の挿入側の正面には別の切欠６４が設けられている。この切欠に鍵のケーシング６の固定要素６１が割当てられる。左側から見て２番目の固定要素６１が係合舌状体６２と共同作業する一方、カードによる滑動体の前方変位位置で別の固定要素６１は、追加の切欠６４に進入する。この切欠がないとカードは完全に前に進むことができず滑動体も前に進むことができない。鍵は開放位置にすることができない。このようにして追加のマスク部品が達成される。定められた位置に係合舌状体６２および切欠６４が形成された鍵だけを挿入することができる。このことは鍵のケース側における固定要素６１の配置にも当て嵌まる。
【００３９】
図１７および１８に示す第９の実施態様は、第１の実施態様に似た構成である。同じ部品は同じ記号を持っている。カード５の挿入側前方は滑動体１０の駆動肩部５１に作用する。これによって滑動体の変位が引っ張りばね１８の力に抗して可能となる。滑動体１０の前方変位位置は係合結合によって確保される。このため挿入口４の壁に固定要素６６となる窪みを打ち出した形状の突起が設けられる。形成されるのは挿入口４の壁でこの場合は固定板１６である。断面で見ると窪み６６は円錐形に形成される。この窪み状の打ち出し部６６は、カード５の前方の穴６７に係合する。２つのこのような穴６７をカード５に設けてもよい。これに対応して壁または固定板１６に２つの窪み状の打ち出し部６６を形成する。窪み状の打ち出し部６６は鍵のケーシングに沿って延びる板ばね６８の力によって穴６７に係合する。ばねは端部区間６８’によってカバー部分９に支持され、一方板ばね６８の中央部は、固定板１６を滑動体１０、したがってカード５の方向に変位させる。適切な板ばね６８の力の選定および固定板１６およびカード６６間の係合結合の形成によって、引っ張りばね１８は滑動体を前方変位位置から引き戻すことはできない。
【００４０】
滑動体１０の戻り移動は、カード５を意識して引き抜くことによって行われ、窪み状の打ち出し部６６および穴６７の係合結合が解除され、同時に固定板１６は板ばね６８の力に抗して変位する。保持力が開放されカード５が引き抜かれると、引っ張りばね１８は効果を発揮し、滑動体１０は元の位置に戻る。
【００４１】
上述のように、滑動体を前方変位位置に保持するため特別の追加部品を必要としない。
【００４２】
上述の考えは、固定板の内側の端部を少し短くすることによっても実現できる。この場合板ばね６８は内側の端部に対応する窪み状の打ち出し部を備え、カードの穴と共同作業する。
【００４３】
窪み状の打ち出し部をカードに、穴を固定板１６または板ばね６８に設けることも可能である。
【００４４】
図１９ないし２２に示す第１０の実施態様では、カード式鍵１は円形の外郭の鍵ケーシング２’を備え、内部に直径方向に向いて滑動体１０が導かれる。滑動体１０内側に向いた端部に駆動肩部５１が形成され、中央に貫通スリット６９が設けられる。さらに滑動体１０の内側端部に圧力ばね７１を保持するための袋穴７０が設けられ、このばねによって滑動体１０はカップ状の筒７１’が挿入された状態で図１９による最初の位置に変位する。
【００４５】
滑動体１０の幅の広い面には係合板１１が並んでいる。この上に案内板１５が平らに置かれる。案内板１５と並行に固定板が延び、図示されていないタンブラピンが対応する係合板の穴に引っ張られる。
【００４６】
カード５を挿入すると、カードは案内板１５および固定板１６の間の部分を進む。
【００４７】
挿入口と反対側の端部で、案内板１５は固定要素７２を形成する弾性舌状体を有している。これは特に図２２から明確に分るように、案内板１５と一体の材料を突き出したものである。挿入口の反対側の端部で案内板１５、すなわち弾性舌状体または固定要素７２はヘヤピン状に曲げられる。案内板１５と平行に距離を置いて延びるばね区間７３は、端部で案内板の方向に曲げられ係合突起７４を形成し、案内板平面に対し斜めに延びる制御区間７５に続く。
【００４８】
図面から分るように、ばね舌状体７２の幅は貫通スリット６９の幅より小さい。したがってカードにより滑動体１０は制約されることなく前方に変位することができる。
【００４９】
詳しく言えば、この実施態様で使用されるカードは３層で構成される。中央の厚い層７６および、両側の幅の広い側は金属の７７および７８が組み合わされ中央の層７６を囲んで構成される。１つの金属層７７は折り曲げた縁７７’によって中央の層７６を囲み、別の金属層７８の縁部分を僅かに覆う。図２２を参照すること。中央の層７６はタンブラピン１４を変位させる磁化部を備えている。
【００５０】
カードの挿入側縁の近くに、金属層７８は打ち出し部７９を形成しその幅は弾性舌状体７２の幅に対応する。この打ち出し部７９は段８０を形成し、カード５によって前方に変位する滑動体１０は、係合突起７４を乗り越えて段８０の前に進み、カード５は滑動体１０とともに前方変位位置で拘束される。弾性舌状体７２によって生ずる係合力は、圧縮ばね７１の復元力より大きい。滑動体１０の戻り変位は、意識的にカード５を引き抜いて上述の係合結合を解除することによって行なわれる。
【００５１】
図２２から打ち出し部７９は金属層７８の幅広い面に並行に延びていることが分る。しかし突起を図２２に点線に示すように、くさび状に形成することも可能である。
【００５２】
開示されたすべての特徴は本発明に対し基本的なものである。従って、対応する／添付の優先書類（事前出願のコピー）の開示もまたすべて本出願の開示内に含まれるものであり、その目的のためこれらの書類の特徴もこの出願の請求事項に含まれるものである。
【産業上の利用可能性】
【００５３】
カード式鍵として利用できる。
【図面の簡単な説明】
【００５４】
【図１】本発明の第１の実施態様により構成した、カードが挿入されたカード式鍵について部分的に外観を、部分的に長手断面を示した図である。
【図２】カードの俯瞰図である。
【図３】カード式鍵に挿入したカードが、滑動体を駆動して変位させる図式描写である。
【図４】第２の実施態様により、カードの変化させた構成で、カード側の駆動区間は磁石である。
【図５】挿入位置にあるカードの図式的描写である。
【図６】第３の実施態様により、カードの駆動肩部はケース側のばねによって係合される。
【図７】さらに変化させたカードの構成の俯瞰図で、狭い長手の縁に凹部が設けられている。
【図８】多くの層から構成されたカードの俯瞰図で、一層は折り曲げて段を形成している。
【図９】カード式鍵の第４の実施態様の図式的描写で、折り曲げて段を形成したカードが挿入されている。
【図１０】図９の線Ｘ−Ｘによる断面である。
【図１１】図１０に対応する第５の実施態様を示したものである。
【図１２】図１０に準じた断面図で第６の実施態様を示したものである。
【図１３】第７の実施態様によるカードが挿入されたカード式鍵の部分的描写で、カードの前面に鍵のケーシングの固定要素と共同作業する係合舌状体が形成されている。
【図１４】図１３の結果図で、カードは完全に挿入され、係合舌状体が固定要素と噛み合っている。
【図１５】同様に、カードが挿入されている第８の実施態様によるカード式鍵の部分的な描写である。
【図１６】図１５の結果図で、カードによって移動された滑動体の位置で、カードの前方縁の係合舌状体が固定要素に係合し、一方カードの前方縁の固定要素は切欠部に入り込んでいる。
【図１７】図１と比較できる図であるが第９の実施態様に関するもので、カードによって発生し滑動体の変位位置である。
【図１８】図１７の断面を、カードおよび挿入口の壁の間の係合結合の高さの部分を極端に拡大したものである。
【図１９】付属するカードとともに示したカード式鍵の第１０の実施態様で、外郭が円形のカード式鍵の案内板、対応するカードの引き抜き位置およびそれによってロックされたカード式鍵を示す。
【図２０】スリット付に形成された駆動肩部を示す、拡大した滑動体の正面図である。
【図２１】図１９と同様な図で、カードによって前方に進んだ滑動体を示したものである。
【図２２】図２１の線ＸＸＩＩ−ＸＸＩＩの断面を大きく拡大した図である。
【国際公開パンフレット】
2005503505.tif 000003
2005503505.tif 000004
2005503505.tif 000005
2005503505.tif 000006
2005503505.tif 000007
2005503505.tif 000008
2005503505.tif 000009
2005503505.tif 000010
2005503505.tif 000011
2005503505.tif 000012
2005503505.tif 000013
2005503505.tif 000014
2005503505.tif 000015
2005503505.tif 000016
2005503505.tif 000017
2005503505.tif 000018
2005503505.tif 000019
2005503505.tif 000020
2005503505.tif 000021
2005503505.tif 000022
2005503505.tif 000023
2005503505.tif 000024
2005503505.tif 000025
2005503505.tif 000026
2005503505.tif 000027
2005503505.tif 000028
2005503505.tif 000029
2005503505.tif 000030
2005503505.tif 000031
2005503505.tif 000032
2005503505.tif 000033
2005503505.tif 000034
2005503505.tif 000035
2005503505.tif 000036
2005503505.tif 000037
2005503505.tif 000038
2005503505.tif 000039
2005503505.tif 000040
2005503505.tif 000041
2005503505.tif 000042
2005503505.tif 000043
【国際調査報告】
2005503505.tif 000044
2005503505.tif 000045
2005503505.tif 000046
2005503505.tif 000047
2005503505.tif 000048
2005503505.tif 000049
2005503505.tif 000050
2005503505.tif 000051